(57)【要約】【課題】  パッシブ型（単純マトリクス型）発光装置において、表示のコントラストを向上させる発光装置の構成を提供する。【解決手段】本発明は、発光素子が設けられている基板側の画素間にブラックマトリクス（ＢＭ）となる黒色の隔壁（逆テーパ形状）を設け、発光素子からの迷光を吸収、または遮蔽することによって表示のコントラストを向上させる。また、下層は反射性を有する金属膜、上層は透明な酸化物導電膜とした積層構造を有するデータ線を有するパッシブマトリクス型発光装置とする。【選択図】  図１
2005317382.tif 000002
【特許請求の範囲】
【請求項１】
第１の基板上に第１の電極と、該第１の電極上に接する有機化合物を含む層と、該有機化合物を含む層上に接する透光性である第２の電極とを有する発光素子を複数有する画素部を備え、第２の基板で封止された発光装置であり、
前記第１の基板上にストライプ状の第１の電極と、
隣合う第１の電極間には遮光材料からなる隔壁と、を有し、
前記発光素子からの前記第２の電極を通過する発光は、第２の基板を通過することを特徴とする発光装置。
【請求項２】
請求項１において、前記第１の電極は、反射性を有する金属膜と透光性を有する導電膜との積層であることを特徴とする発光装置。
【請求項３】
第１の基板上に第１の電極と、該第１の電極上に接する有機化合物を含む層と、該有機化合物を含む層上に接する透光性である第２の電極とを有する発光素子を複数有する画素部を備え、第２の基板で封止された発光装置であり、
前記第１の基板上にストライプ状の第１の電極と、
隣合う第１の電極間には遮光材料からなる隔壁と、を有し、
前記発光素子からの前記第１の電極を通過する発光は、第１の基板を通過することを特徴とする発光装置。
【請求項４】
第１の基板上に第１の電極と、該第１の電極上に接する有機化合物を含む層と、該有機化合物を含む層上に接する透光性である第２の電極とを有する発光素子を複数有する画素部を備え、第２の基板で封止された発光装置であり、
前記第１の基板上にストライプ状の第１の電極と、
隣合う第１の電極間には遮光材料からなる隔壁と、を有し、
前記発光素子からの発光は、前記第１の基板を通過する発光と、前記第２の基板を通過する発光との両方を含むことを特徴とする発光装置。
【請求項５】
請求項１乃至４のいずれか一において、前記第１の基板と前記第２の基板はシール材で貼り合わされ、該シール材で囲まれた密閉空間には乾燥剤が配置されていることを特徴とする発光装置。
【請求項６】
請求項１乃至５のいずれか一において、前記発光装置は、電極または配線として、炭素及びニッケルを含むアルミニウム合金膜を用いていることを特徴とする発光装置。
【請求項７】
請求項１乃至６のいずれか一において、前記発光装置は、パッシブマトリクス型の発光装置であることを特徴とする発光装置。
【請求項８】
請求項１乃至７のいずれか一において、前記第１の基板または前記第２の基板に光学フィルムを有することを特徴とする発光装置。
【請求項９】
請求項１乃至８のいずれか一において、前記発光装置は、ビデオカメラ、デジタルカメラ、パーソナルコンピュータ、または携帯情報端末であることを特徴とする電子機器。
【請求項１０】
請求項１乃至８のいずれか一において、前記発光装置を表示画面として構成することを特徴とするテレビジョン装置。
【発明の詳細な説明】
【技術分野】
【０００１】
本発明は、電極間に発光性材料を挟んだ素子（以下、発光素子という）を有する装置（以下、発光装置という）およびその作製方法に関する。特に発光性材料としてＥＬ（Electro Luminescence）が得られる発光性材料（以下、ＥＬ材料という）を利用した発光素子（以下、ＥＬ素子という）を用いた発光装置（以下、ＥＬ発光装置）に関する。
【背景技術】
【０００２】
ＥＬ発光装置は、陽極と陰極との間にＥＬ材料を挟んだ構造のＥＬ素子を有した構造からなる。この陽極と陰極との間に電圧を加えてＥＬ材料中に電流を流することによりキャリアを再結合させて発光させる。即ち、ＥＬ発光装置は発光素子自体に発光能力があるため、液晶表示装置に用いるようなバックライトが不要である。さらに視野角が広く、軽量であるという利点をもつ。
【０００３】
パッシブ型（単純マトリクス型）ＥＬ発光装置は、ストライプ状（帯状）に並列された複数の陽極と、ストライプ状に並列された複数の陰極とが互いに直交するように設けられており、その交差部にＥＬ材料が挟まれた構造となっている。従って、選択された（電圧が印加された）陽極と選択された陰極との交点にあたる画素が点灯することになる。
【０００４】
従来、有機ＥＬ素子を有する有機ＥＬパネルにおいて偏光板又は円偏光板が用いられている。（例えば、特許文献１参照）。これは、表示部に形成される電極に外光が反射して画像の視認性が低下するのを防ぐためである。特に、表示していない状態では、電極が鏡面となり、背景が映り込んでしまう。また、表示を行っている状態でも、コントラストが低下したり、黒色が表示しにくくなる問題がある。
【０００５】
また、単色光に対して１／２波長の位相差を与えるフィルムを積層して、全体として１／２波長板として機能させたり、１／２波長の位相差を与えるフィルムと、１／４波長の位相差を与えるものとを積層して、全体として１／４波長板として機能させたりする積層させた波長板、及びそれらを有する円偏光板に関するものがある（例えば、特許文献２参照）。
【０００６】
また、本出願人は、円偏光フィルムを用いずにＥＬ発光装置の鏡面化を防ぐため、発光素子の陽極または陰極に接して遮光膜が設けられた構造を特許文献３に記載している。なお、特許文献３に記載の構成は、上面出射構造および下面出射構造の発光装置である。
【特許文献１】特許登録第２７６１４５３号
【特許文献２】特許登録第３１７４３６７号
【特許文献３】特開２００２−３３１８５
【発明の開示】
【発明が解決しようとする課題】
【０００７】
パッシブ型（単純マトリクス型）発光装置において、表示のコントラストを向上させる発光装置の構成を提供する。
【課題を解決するための手段】
【０００８】
本発明は、発光素子が設けられている基板側の画素間にブラックマトリクス（ＢＭ）となる黒色の隔壁（バンク、または障壁とも呼ばれる）を設け、発光素子からの迷光を吸収、または遮蔽することによって表示のコントラストを向上させる。
【０００９】
また、フルカラー表示とする場合には、Ｒ、Ｇ、Ｂの各色に対応する有機化合物を含む層を選択的に蒸着して各画素を形成すればよい。或いは、白色発光素子としてカラーフィルタを設けてもよい。
【００１０】
特に本発明においては、封止基板側にはＲ、Ｇ、Ｂの着色層のみが設けられており、ブラックマトリクスが設けられていないため、封止基板側の構成が簡略化され、封止基板側の作製工程も簡略化される。
【００１１】
なお、フルカラー表示だけでなく、モノクロ表示、或いはエリアカラー表示の発光装置にも適用できる。
【００１２】
また、本発明の発光装置は、封止基板を通過させて表示を行うことを特徴の一つとしている。
【００１３】
本明細書で開示する発明の構成は、上面出射構造のパッシブマトリクス型発光装置において、第１の基板上に第１の電極と、該第１の電極上に接する有機化合物を含む層と、該有機化合物を含む層上に接する透光性である第２の電極とを有する発光素子を複数有する画素部を備え、第２の基板で封止された発光装置であり、前記第１の基板上にストライプ状の第１の電極と、隣合う第１の電極間には遮光材料からなる隔壁と、を有し、前記発光素子からの前記第２の電極を通過する発光は、第２の基板を通過することを特徴とする発光装置である。
【００１４】
また、上記構成において、前記第１の電極は、反射性を有する金属膜と透光性を有する導電膜との積層であることを特徴の一つとして、上面出射構造のパッシブマトリクス型発光装置である場合に効率よく光を取り出すことができる。
【００１５】
また、他の発明の構成は、下面出射構造のパッシブマトリクス型発光装置において、第１の基板上に第１の電極と、該第１の電極上に接する有機化合物を含む層と、該有機化合物を含む層上に接する透光性である第２の電極とを有する発光素子を複数有する画素部を備え、第２の基板で封止された発光装置であり、前記第１の基板上にストライプ状の第１の電極と、隣合う第１の電極間には遮光材料からなる隔壁と、を有し、前記発光素子からの前記第１の電極を通過する発光は、第１の基板を通過することを特徴とする発光装置である。
【００１６】
また、他の発明の構成は、両面出射構造のパッシブマトリクス型発光装置において、第１の基板上に第１の電極と、該第１の電極上に接する有機化合物を含む層と、該有機化合物を含む層上に接する透光性である第２の電極とを有する発光素子を複数有する画素部を備え、第２の基板で封止された発光装置であり、前記第１の基板上にストライプ状の第１の電極と、隣合う第１の電極間には遮光材料からなる隔壁と、を有し、前記発光素子からの発光は、前記第１の基板を通過する発光と、前記第２の基板を通過する発光との両方を含むことを特徴とする発光装置である。
【００１７】
また、上記各構成において、第１の基板と第２の基板はシール材で貼り合わされ、該シール材で囲まれた密閉空間には乾燥剤が配置されていることを特徴の一つとしている。密閉空間は乾燥剤によって微量な水分を除去し、十分乾燥させることで発光装置の信頼性を向上させる。乾燥剤としては、酸化カルシウムや酸化バリウムなどのようなアルカリ土類金属の酸化物のような化学吸着によって水分を吸収する物質を用いることが可能である。なお、他の乾燥剤として、ゼオライトやシリカゲル等の物理吸着によって水分を吸着する物質を用いてもよい。
【００１８】
また、上記各構成において、第１の基板または第２の基板に光学フィルム（偏光板、又は円偏光板（楕円偏光板を含む）、位相差板（λ／４板、λ／２板）、カラーフィルタ）を有することを特徴の一つとしている。
【００１９】
また、上記各構成において、発光装置は、電極または配線として、炭素及びニッケル（１〜２０ｗｔ％）を含むアルミニウム合金（Ａｌ（Ｃ＋Ｎｉ））膜を用いていることを特徴の一つとしている。Ａｌ（Ｃ＋Ｎｉ）合金膜は、通電、或いは熱処理後もＩＴＯやＩＴＳＯとのコンタクト抵抗値に大きな変動がない材料である。
【００２０】
また、白色発光素子の発光層は、有機化合物又は無機化合物を含む電荷注入輸送物質及び発光材料で形成し、その分子数から低分子系有機化合物、中分子系有機化合物（昇華性を有さず、且つ分子数が２０以下、又は連鎖する分子の長さが１０μm以下の有機化合物を指していう）、高分子系有機化合物から選ばれた一種又は複数種の層を含み、電子注入輸送性又は正孔注入輸送性の無機化合物と組み合わせても良い。
【００２１】
また、白色発光素子の発光層は、一重項励起発光材料の他、金属錯体などを含む三重項励起材料を用いても良い。三重項励起発光材料の一例としては、金属錯体をドーパントとして用いたものがあり、第三遷移系列元素である白金を中心金属とする金属錯体、イリジウムを中心金属とする金属錯体などが知られている。三重項励起発光材料としては、これらの化合物に限られることはなく、上記構造を有し、且つ中心金属に周期表の８〜１０属に属する元素を有する化合物を用いることも可能である。
【００２２】
発光色は、発光層を形成する材料で決まるため、これらを選択することで所望の発光を示す発光素子を形成することができる。発光層の形成に用いることができる高分子系の電界発光材料は、ポリパラフェニレンビニレン系、ポリパラフェニレン系、ポリチオフェン系、ポリフルオレン系が挙げられる。
【００２３】
白色発光を得るには、青色発光層を含め、２層或いは３層の発光層を設け、白色発光するような発光素子を構成すればよい。具体的には、ホール輸送層上に、ＮＰＢとフェニルアントラセン誘導体とを体積比が１：３となるように、かつナフタセン誘導体を含むように共蒸着した混合層タイプの第１発光層と、ＮＰＢとフェニルアントラセン誘導体とを体積比が１：３となるように、かつスチリルアミン誘導体を含むように共蒸着した混合層タイプの第２の青色発光層と、を積層した発光素子とすると白色発光が得られる。
【００２４】
また、他の白色発光素子としては、発光層として、亜鉛のオキサゾール錯体を用いた青色発光層と、トリス（８−キノリノラト）アルミニウム（略称：Ａｌｑ3）を用いた緑色発光層と、Ａｌｑ3に赤色の蛍光色素（Ｐ−６６０、ＤＣＭ１）をドープした赤色発光層とを積層したものを用いればよい。
【００２５】
また、２層発光を用いた白色発光素子としては、Ａｌｑ3にクマリン６をドープした緑色発光層と、ＴＰＤにルブレンをドープした黄色発光層とを積層したものを用いればよい。
【００２６】
以上に掲げる有機化合物を含む層を形成する物質は一例であり、正孔注入輸送層、正孔輸送層、電子注入輸送層、電子輸送層、発光層、電子ブロック層、正孔ブロック層などの機能性の各層を適宜積層することで白色発光素子を形成することができる。また、これらの各層を合わせた混合層又は混合接合を形成しても良い。
【００２７】
また、白色発光素子に限定されず、白色発光素子に代えて、第１の基板上に青色発光素子として遮光性を有する隔壁を設置し、第２の基板には色変換層を配置することでフルカラー表示を実現してもよい。
【００２８】
また、有機化合物を含む層の塗り分けを画素ごとに行って、第１の基板上に赤色発光素子、青色発光素子、緑色発光素子をそれぞれ形成し、それらの間に遮光性を有する隔壁を設置し、第２の基板には色純度を高めるための着色層を配置してもよい。例えば、赤色の発光性の画素、緑色の発光性の画素及び青色の発光性の画素のうち、輝度半減時間が比較的短い赤色の発光性の画素を三重項励起発光材料で形成し、他を一重項励起発光材料で形成する。三重項励起発光材料は発光効率が良いので、同じ輝度を得るのに消費電力が少なくて済むという特徴がある。すなわち、赤色画素に適用した場合、発光素子に流す電流量が少なくて済むので、信頼性を向上させることができる。低消費電力化として、赤色の発光性の画素と緑色の発光性の画素とを三重項励起発光材料で形成し、青色の発光性の画素を一重項励起発光材料で形成しても良い。人間の視感度が高い緑色の発光素子も三重項励起発光材料で形成することで、より低消費電力化を図ることができる。
【発明の効果】
【００２９】
本発明により、パッシブマトリクス型発光装置において、表示のコントラストを向上させることができる。
【発明を実施するための最良の形態】
【００３０】
本発明の実施形態について、以下に説明する。
【００３１】
図１（Ａ）は、封止前における画素部の上面図を示す図であり、図１（Ａ）中の鎖線Ａ−Ａ’で切断した断面図が図１（Ｂ）であり、鎖線Ｂ−Ｂ’で切断した断面図が図１（Ｃ）である。
【００３２】
第１の基板１１０上には、ストライプ状に複数の第１の電極１１３が等間隔で配置されている。また、第１の電極１１３上には、各画素に対応する開口部を有する隔壁１１４が設けられ、開口部を有する隔壁１１４は遮光性を有する材料（黒色顔料やカーボンブラックを分散させてなる感光性または非感光性の有機材料（ポリイミド、アクリル、ポリアミド、ポリイミドアミド、レジストまたはベンゾシクロブテン）、またはＳＯＧ膜（例えば、アルキル基を含むＳｉＯｘ膜））で構成されている。例えば、開口部を有する隔壁１１４として、富士フィルムオーリン社製ＣＯＬＯＲ  ＭＯＳＡＩＣ  ＣＫ（商品名）のような材料を用いる。開口部を有する隔壁１１４はブラックマトリクス（ＢＭ）として機能させている。なお、各画素に対応する開口部が発光領域１２１となる。
【００３３】
開口部を有する隔壁１１４上に、第１の電極１１３と交差する互いに平行な複数の逆テーパ状の隔壁１２２が設けられる。逆テーパ状の隔壁１２２はフォトリソグラフィ法に従い、未露光部分がパターンとしてポジ型感光性樹脂を用い、パターンの下部がより多くエッチングされるように露光量または現像時間を調節することによって形成する。この逆テーパ状の隔壁１２２も上述した遮光性を有する材料で形成し、さらにコントラストの向上を図ってもよい。
【００３４】
また、平行な複数の逆テーパ状の隔壁１２２を形成した直後における斜視図を図２に示す。なお、図１と同一の部分には同一の符号を用いている。
【００３５】
逆テーパ状の隔壁１２２の高さは、有機化合物を含む膜及び導電膜の膜厚より大きく設定する。図２に示す構成を有する第１の基板に対して有機化合物を含む膜と、導電膜とを積層形成すると、図１に示すように電気的に独立した複数の領域に分離され、有機化合物を含む層１１５Ｒ、１１５Ｇ、１１５Ｂと、第２の電極１１６とが形成される。第２の電極１１６は、第１の電極１１３と交差する方向に伸長する互いに平行なストライプ状の電極である。なお、逆テーパ状の隔壁１２２上にも有機化合物を含む膜及び導電膜が形成されるが、有機化合物を含む層１１５Ｒ、１１５Ｇ、１１５Ｂ及び第２の電極１１６とは分断されている。
【００３６】
ここでは、有機化合物を含む層１１５Ｒ、１１５Ｇ、１１５Ｂを選択的に形成し、３種類（Ｒ、Ｇ、Ｂ）の発光が得られるフルカラー表示可能な発光装置を形成する例を示している。有機化合物を含む層１１５Ｒ、１１５Ｇ、１１５Ｂはそれぞれ互いに平行なストライプパターンで形成されている。
【００３７】
また、全面に有機化合物を含む層を形成し、単色の発光素子を設けてもよく、モノクロ表示可能な発光装置、或いはエリアカラー表示可能な発光装置としてもよい。また、白色発光が得られる発光装置として、カラーフィルタと組み合わせることによってフルカラー表示可能な発光装置としてもよく、本発明においては隔壁１１４がブラックマトリクスとして機能するため、着色層のみからなるカラーフィルタを用いればよい。
【００３８】
また、発光素子の封止は、シール材を用いて第２の基板を貼り合わせることによって行う。必要があれば、第２の電極１１６を覆う保護膜を形成してもよい。なお、第２の基板としては、水分に対するバリア性の高い基板が好ましい。また、必要であれば、シール材で囲まれた領域に乾燥剤を配置してもよい。
【００３９】
また、第１の電極１１３を光反射性を有する導電材料とし、第２の電極１１６を透光性を有する導電材料とした場合には、発光素子からの発光を第２の基板を通過させて取り出すトップエミッション型の発光装置とすることができる。第１の電極１１３として、炭素及びニッケルを含むアルミニウム合金（Ａｌ（Ｃ＋Ｎｉ））膜を単層、或いは透明導電膜との積層の下層に用いると、通電、或いは熱処理後もＩＴＯやＩＴＳＯとのコンタクト抵抗値に大きな変動がない材料であるため好ましい。
【００４０】
また、第１の電極１１３を透光性を有する導電材料とし、第２の電極１１６を光反射性を有する導電材料とした場合には、発光素子からの発光を第１の基板１１０を通過させて取り出すボトムエミッション型の発光装置とすることができる。
【００４１】
また、第１の電極１１３および第２の電極１１６をともに透光性を有する導電材料とした場合には、発光素子からの発光を第２の基板を通過させることと、発光素子からの発光を第１の基板を通過させることを両方行うことが可能な発光装置とすることができる。
【００４２】
また、封止を行った後、ＦＰＣなどを実装した発光モジュールの上面図を図３に示す。
【００４３】
なお、本明細書中における発光装置とは、画像表示デバイス、発光デバイス、もしくは光源（照明装置含む）を指す。また、発光装置にコネクター、例えばFPC（Flexible printed circuit）もしくはTAB（Tape Automated Bonding）テープもしくはTCP（Tape Carrier Package）が取り付けられたモジュール、TABテープやTCPの先にプリント配線板が設けられたモジュール、または発光素子にCOG（Chip On Glass）方式によりIC（集積回路）が直接実装されたモジュールも全て発光装置に含むものとする。
【００４４】
第１の基板３０１と第２の基板３１０とが対向するようにシール材３１１で貼り付けられている。シール材３１１としては光硬化樹脂を用いれば良く、脱ガスが少なく、吸湿性の低い材料が好ましい。また、シール材３１１は基板間隔を一定に保つため、フィラー（棒状またはファイバー状のスペーサ）や球状のスペーサを添加したものであっても良い。なお、第２の基板３１０としては基板４０１と熱膨張係数が同一の材料が好ましく、ガラス（石英ガラスを含む）もしくはプラスチックを用いることができる。
【００４５】
図３に示すように画像表示を構成する画素部は、走査線群とデータ線群が互いに直交するように交差している。
【００４６】
図１における第１の電極１１３が図２の走査線３０２に相当し、第２の電極１１６がデータ線３０３に相当し、逆テーパ状の隔壁１２２が隔壁３０４に相当する。データ線３０２と走査線３０３の間には有機化合物を含む層が挟まれており、３０５で示される交差部が画素１つ分となる。
【００４７】
なお、走査線３０３は配線端で接続配線３０８と電気的に接続され、接続配線３０８が入力端子３０７を介してＦＰＣ３０９ｂに接続される。また、データ線は入力端子３０６を介してＦＰＣ３０９ａに接続される。
【００４８】
また、必要であれば、出射面に偏光板、又は円偏光板（楕円偏光板を含む）、位相差板（λ／４板、λ／２板）、カラーフィルタなどの光学フィルムを適宜設けてもよい。また、偏光板又は円偏光板に反射防止膜を設けてもよい。例えば、表面の凹凸により反射光を拡散し、映り込みを低減できるアンチグレア処理を施すことができる。また偏光板、又は円偏光板に加熱処理を施すアンチリフレクション処理を施してもよい。その後さらに、外部衝撃から保護するためハードコート処理を施すとよい。ただし、偏光板、又は円偏光板を用いると、偏光板、又は円偏光板により光の取り出し効率が低下してしまう。また、偏光板、又は円偏光板自体のコストが高く、且つ、劣化しやすい。
【００４９】
本発明は、発光素子が設けられている基板側の画素間にブラックマトリクス（ＢＭ）となる黒色の隔壁（バンク、または障壁とも呼ばれる）を設け、発光素子からの迷光を吸収、または遮蔽することによって表示のコントラストを向上させることができる。
【００５０】
以上の構成でなる本発明について、以下に示す実施例でもってさらに詳細な説明を行うこととする。
【実施例１】
【００５１】
本実施例では、ＩＣチップを実装する発光モジュールの作製例を以下に示す。
【００５２】
まず、第１の基板４０１上に、下層は反射性を有する金属膜、上層は透明な酸化物導電膜とした積層構造を有するデータ線（陽極）４０２を形成する。同時に接続配線４０８、４０９ａ、４０９ｂ、および入力端子も形成する。
【００５３】
次いで、各画素に対応する開口部を有する隔壁を設ける。開口部を有する隔壁は富士フィルムオーリン社製ＣＯＬＯＲ  ＭＯＳＡＩＣ  ＣＫ（商品名）を用いる。次いで、開口部を有する隔壁上に、データ線４０２と交差する互いに平行な複数の逆テーパ状の隔壁４０４を設ける。
【００５４】
以上に示す工程を終えた段階での上面図を図４（Ａ）に示す。
【００５５】
次いで、有機化合物を含む膜と、透明導電膜とを積層形成すると、図４（Ｂ）に示すように電気的に独立した複数の領域に分離され、有機化合物を含む層と、透明導電膜からなる走査線４０３とが形成される。透明導電膜からなる走査線４０３は、データ線４０２と交差する方向に伸長する互いに平行なストライプ状の電極である。
【００５６】
次いで、シール材４１３で透光性を有する第２の基板４１４を貼り付ける。
【００５７】
次いで、画素部の周辺（外側）の領域に、画素部へ各信号を伝送する駆動回路が形成されたデータ線側ＩＣ４０６、走査線側ＩＣ４０７をＣＯＧ方式によりそれぞれ実装する。ＣＯＧ方式以外の実装技術としてＴＣＰやワイヤボンディング方式を用いて実装してもよい。ＴＣＰはＴＡＢテープにＩＣを実装したものであり、ＴＡＢテープを素子形成基板上の配線に接続してＩＣを実装する。データ線側ＩＣ４０６、および走査線側ＩＣ４０７は、シリコン基板を用いたものであってもよいし、ガラス基板、石英基板もしくはプラスチック基板上にＴＦＴで駆動回路を形成したものであってもよい。また、片側に一つのＩＣを設けた例を示しているが、片側に複数個に分割して設けても構わない。
【００５８】
なお、走査線４０３は配線端で接続配線４０８と電気的に接続され、接続配線４０８が走査線側ＩＣ４０７と接続される。これは走査線側ＩＣ４０７を逆テーパ状の隔壁４０４上に設けることが困難だからである。
【００５９】
以上のような構成で設けられたデータ線側ＩＣ４０６は接続配線４０９ａおよび入力端子４１０を介してＦＰＣ４１１に接続される。また、走査線側ＩＣ４０７は接続配線４０９ｂおよび入力端子を介してＦＰＣに接続される。
【００６０】
さらに、ＩＣチップ４１２（メモリチップ、ＣＰＵチップ、電源回路チップなど）を実装して集積化を図っている。
【００６１】
また、図４（Ｂ）中、鎖線Ｃ−Ｄで切断した断面構造の一例を図５に示す。
【００６２】
第１の基板１０上には下地絶縁膜１１が設けられ、その上には積層からなるデータ線が形成されている。下層１２は反射性を有する金属膜であり、上層１３は透明な酸化物導電膜である。上層１３は仕事関数の高い導電膜を用いることが好ましく、インジウム錫酸化物（ＩＴＯ）の他、例えば、Ｓｉ元素を含むインジウム錫酸化物（ＩＴＳＯ）や酸化インジウムに２〜２０％の酸化亜鉛（ＺｎＯ）を混合したＩＺＯ（Ｉｎｄｉｕｍ  Ｚｉｎｃ  Ｏｘｉｄｅ）などの透明導電材料、もしくはこれらを組み合わせた化合物を含む膜を用いることができる。中でもＩＴＳＯは、ベークを行ってもＩＴＯのように結晶化せず、アモルファス状態のままである。従って、ＩＴＳＯは、ＩＴＯよりも平坦性が高く、有機化合物を含む層が薄くとも陰極とのショートが生じにくく、発光素子の陽極として適している。
【００６３】
また、下層１２は、Ａｇ、Ａｌ、またはＡｌ（Ｃ＋Ｎｉ）合金膜を用いる。中でもＡｌ（Ｃ＋Ｎｉ）膜（炭素及びニッケル（１〜２０ｗｔ％）を含むアルミニウム合金膜）は、通電、或いは熱処理後もＩＴＯやＩＴＳＯとのコンタクト抵抗値に大きな変動がない材料であり、好ましい。
【００６４】
隣り合うデータ線同士を絶縁化するための隔壁１４は黒色樹脂であり、異なる着色層（封止基板側に設けられる）との境界、或いは隙間と重なるブラックマトリクス（ＢＭ）の役目を果たしている。黒い隔壁で囲まれた領域が発光領域と対応して同一面積になっている。
【００６５】
有機化合物を含む層１５はデータ線（陽極）側から順に、ＨＩＬ（ホール注入層）、ＨＴＬ（ホール輸送層）、ＥＭＬ（発光層）、ＥＴＬ（電子輸送層）、ＥＩＬ（電子注入層）の順に積層されている。なお、有機化合物を含む層は、積層構造以外に単層構造、又は混合構造をとることができる。
【００６６】
走査線１６（陰極）は、データ線（陽極）と交差するように形成されている。走査線１６（陰極）は、ＩＴＯや、Ｓｉ元素を含むインジウム錫酸化物（ＩＴＳＯ）や、酸化インジウムに２〜２０％の酸化亜鉛（ＺｎＯ）を混合したＩＺＯなどの透明導電膜を用いる。本発明では、発光が封止基板２０を通過する上方出射型の発光装置の例であるので走査線１６は透明であることが重要である。
【００６７】
また、有機化合物を含む層１５において生じた光の全てが透明導電膜からなる走査線１６から第２の基板２０を通過して取り出されるわけではなく、例えば、横方向（基板面と平行な方向）にも発光されるが、結果的にこの横方向に発光する光は取り出されないため、ロスになっていた。本発明は、発光素子からの迷光を黒色樹脂からなる隔壁１４で吸収、または遮蔽する構成としている。
【００６８】
また、水分や脱ガスによるダメージから発光素子を保護するため、走査線１６を覆う透明な保護膜を設けてもよい。透明な保護膜としては、ＰＣＶＤ法による緻密な無機絶縁膜（ＳｉＮ、ＳｉＮＯ膜など）、スパッタ法による緻密な無機絶縁膜（ＳｉＮ、ＳｉＮＯ膜など）、炭素を主成分とする薄膜（ＤＬＣ膜、ＣＮ膜、アモルファスカーボン膜）、金属酸化物膜（ＷＯ2、ＣａＦ2、Ａｌ2Ｏ3など）などを用いることが好ましい。透明とは、可視光の透過率が８０〜１００％であることを指す。
【００６９】
また、発光素子を含む画素部は、シール材１９及び第２の基板２０で封止され、囲まれた空間を密閉なものとしている。
【００７０】
シール材１９としては、紫外線硬化樹脂、熱硬化樹脂、シリコーン樹脂、エポキシ樹脂、アクリル樹脂、ポリイミド樹脂、フェノール樹脂、ＰＶＣ（ポリビニルクロライド）、ＰＶＢ（ポリビニルブチラル）またはＥＶＡ（エチレンビニルアセテート）を用いることが可能である。また、シール材はフィラー（棒状またはファイバー状のスペーサ）や球状のスペーサを添加したものであっても良い。
【００７１】
また、第２の基板２０としてガラス基板またはプラスチック基板を用いる。プラスチック基板としては、ポリイミド、ポリアミド、アクリル樹脂、エポキシ樹脂、ＰＥＳ（ポリエチレンサルファイル）、ＰＣ（ポリカーボネート）、ＰＥＴ（ポリエチレンテレフタレート）もしくはＰＥＮ（ポリエチレンナフタレート）を板状もしくはフィルム状にして用いることができる。
【００７２】
なお、密閉空間１８には乾燥した不活性ガスが充填されている。シール材１９で囲まれた内側の密閉空間１８は乾燥剤１７によって微量な水分が除去され、十分乾燥されている。また、乾燥剤１７としては、酸化カルシウムや酸化バリウムなどのようなアルカリ土類金属の酸化物のような化学吸着によって水分を吸収する物質を用いることが可能である。なお、他の乾燥剤として、ゼオライトやシリカゲル等の物理吸着によって水分を吸着する物質を用いてもよい。
【００７３】
一方、基板１０の端部には端子電極が形成され、この部分で外部回路と接続するＦＰＣ（フレキシブルプリント配線板）３２を貼り合わせる。端子電極は、反射性を有する金属膜３０と、透明な酸化物導電膜２９と、第２の電極から延在した酸化導電膜との積層で構成しているが、特に限定されない。
【００７４】
ＦＰＣ３２を実装する方法は異方導電性材料もしくはメタルバンプを用いた接続方法またはワイヤボンディング方式を採用することができる。図５では異方性導電接着材３１を用いて接続を行っている。
【００７５】
また、画素部の周辺には、画素部へ各信号を伝送する駆動回路が形成されたＩＣチップ２３を異方導電性材料２４、２５により電気的に接続している。また、カラー表示に対応した画素部を形成するためには、ＸＧＡクラスでデータ線の本数が３０７２本であり走査線側が７６８本必要となる。このような数で形成されたデータ線及び走査線は画素部の端部で数ブロック毎に区分して引出線を形成し、ＩＣの出力端子のピッチに合わせて集める。
【００７６】
以上に示す発光装置は、図５中の矢印に示す発光を用いて表示を行うトップエミッション型の発光装置であり、黒い隔壁１４によってコントラストが向上されている。
【００７７】
また、本実施例は、最良の形態と自由に組み合わせることができる。
【実施例２】
【００７８】
本実施例では、光学フィルムを設けた例を図６（Ａ）を用いて説明する。
【００７９】
第１の基板６１０に対向して設けられた第２の基板６２０に光学フィルム６２１を設けている。本実施例では、図６（Ａ）中に矢印で示した方向に発光する例、即ち発光素子からの発光が第２の基板６２０を通過してから光学フィルム６２１を通過する例を示しているが、特に限定されず、光学フィルムを第１の基板側に設けて、発光素子からの発光が光学フィルム６２１を通過してから第２の基板６２０を通過する構成としてもよい。
【００８０】
光学フィルム６２１は、偏光板、又は円偏光板（楕円偏光板を含む）、位相差板（λ／４板、λ／２板）、カラーフィルタなどの光学フィルムを指している。
【００８１】
パッシブマトリクス型発光装置の画素における発光素子は、実施例１と同様に、下層６１２は反射性を有する金属膜、上層６１３は透明な酸化物導電膜とした積層構造を有するデータ線（陽極）と、有機化合物を含む層６１５と、透明導電膜からなる走査線６１６とで構成している。また、隔壁６１４は遮光性を有する材料で構成されている。
【００８２】
光学フィルム６２１として円偏光板を用いれば、下層６１２に外光が反射して画像の視認性が低下することを防ぐことができる。なお、円偏光板とは、具体的にはλ／４、λ／４＋λ／２の位相差特性を有する位相差板、位相差フィルム、或いは位相差膜と、偏光板、偏光フィルム、或いは直線偏光膜との組み合わせからなる円偏光板（楕円偏光板を含む）を指している。ここでいう広帯域λ／４板は、可視光の範囲で一定の位相差（90度）を与えるものである。具体的には、偏光板の透過軸と、位相差フィルムの遅相軸とのなす角が４５°になるように設置したものを円偏光板と呼んでいる。なお、本明細書において、円偏光板とは、円偏光フィルムをも含むものとする。
【００８３】
また、発光素子を白色発光素子とし、光学フィルム６２１としてカラーフィルタを用いれば、フルカラー表示を可能とすることもできる。
【００８４】
また、複数種類の光学フィルムを適宜、組み合わせてもよい。
【００８５】
また、本実施例は、最良の形態、または実施例１と自由に組み合わせることができる。
【実施例３】
【００８６】
本実施例では、ボトムエミッション型発光装置とする例を図６（Ｂ）を用いて説明する。
【００８７】
本実施例における発光素子は、透明な酸化物導電膜からなるデータ線（陽極）７１３と、有機化合物を含む層７１５と、反射性を有する導電膜からなる走査線７１６とで構成している。また、隔壁７１４は実施例１と同様に遮光性を有する材料で構成されている。
【００８８】
発光素子からの発光は図６（Ｂ）中の矢印に示す方向、即ち、第１の基板７１０を通過する方向に取り出される。従って、第２の基板７２１は特に光透過性を有する必要はなく、金属板でもよい。また、発光素子の信頼性を向上させるために膜厚の厚い保護膜７１７を形成しても光の取り出し効率が低下しないので好ましい。
【００８９】
また、本実施例は、最良の形態、実施例１、または実施例２と自由に組み合わせることができる。例えば、本実施例と実施例２と組み合わせ、光学フィルムを設ける場合には、第１の基板７１０に光学フィルムを設ければよい。
【実施例４】
【００９０】
本実施例では、実施例１、実施例２、および実施例３とは異なる発光装置とする例を図６（Ｃ）を用いて説明する。
【００９１】
本実施例における発光素子は、透明な酸化物導電膜からなるデータ線（陽極）８１３と、有機化合物を含む層８１５と、透明な酸化物導電膜からなる走査線８１６とで構成している。また、隔壁８１４は実施例１と同様に遮光性を有する材料で構成されている。
【００９２】
発光素子からの発光は図６（Ｃ）中の矢印に示す方向、即ち、第１の基板８１０を通過する方向と、第２の基板８２０を通過する方向との両方で取り出される。従って、第１の基板８１０および第２の基板８２０は、ともに光透過性を有する基板を用いる。
【００９３】
また、本実施例は、最良の形態、実施例１、または実施例２と自由に組み合わせることができる。例えば、本実施例と実施例２と組み合わせ、光学フィルムを設ける場合には、第１の基板８１０および第２の基板８２０の両方に光学フィルムを設ければよい。
【実施例５】
【００９４】
本実施例では隔壁が逆テーパ形状ではなく、順テーパ形状の例を図７を用いて説明する。なお、本実施例は、隔壁の形状と発光素子（白色）が異なるだけで他の構造は図１とほぼ同一である。
【００９５】
実施の形態と同様にして第１の基板９１０上にストライプ状の第１の電極９１３を形成する。本実施例では、第１の電極９１３上に開口部を有する隔壁９１４が設けられ、その上にスペーサ９２１、及びスペーサ９２１上の幅の大きいオーバーハング体９２２で構成される隔壁を形成する。
【００９６】
スペーサ９２１はポリイミドなどの有機樹脂膜を用い、オーバーハング体９２２は、レジストなどの感光性樹脂膜を用いる。ポリイミドなどの有機樹脂膜を成膜して、分離したい電極の間にレジストなどの感光性樹脂膜のパターンを残す。そして、露出した有機樹脂膜をエッチングする。このエッチングする際に感光性樹脂のパターンの下方にアンダーカットを発生させるようにエッチング条件を調節する。これらの工程によりオーバーハング構造を持つ素子分離体構造、即ち隔壁が形成できる。
【００９７】
本実施例では、開口部を有する隔壁９１４、スペーサ９２１、またはオーバーハング体９２２を遮光性を有する材料で構成し、コントラストを向上させる。
【００９８】
図７に示す隔壁を形成した後、有機化合物を含む層および透明導電膜を形成すれば、分離された有機化合物を含む層９１５および第２の電極９１６を形成することができる。
【００９９】
また、本実施例では、有機化合物を含む層９１５は積層とし、Ａｌｑ3にクマリン６をドープした緑色発光層と、ＴＰＤにルブレンをドープした黄色発光層とを積層したものを用いて２層発光を用いた白色発光素子とする。本実施例においては、発光色ごとに塗り分ける工程を省略できるため、パッシブマトリクス型発光装置の作製時間を短縮することができる。
【０１００】
また、フルカラー表示とするため、白色発光素子の画素に対向する位置に着色層９１９Ｒ、９１９Ｇ、９１９Ｂのみからなるカラーフィルタを第２の基板９２０に設けている。
【０１０１】
また、本実施例は、最良の形態、または実施例１乃至４のいずれか一と自由に組み合わせることができる。
【実施例６】
【０１０２】
本発明の発光装置、及び電子機器として、ビデオカメラ、デジタルカメラ、ゴーグル型ディスプレイ（ヘッドマウントディスプレイ）、ナビゲーションシステム、音響再生装置（カーオーディオ、オーディオコンポ等）、ノート型パーソナルコンピュータ、ゲーム機器、携帯情報端末（モバイルコンピュータ、携帯電話、携帯型ゲーム機又は電子書籍等）、記録媒体を備えた画像再生装置（具体的にはDigital Versatile Disc（ＤＶＤ）等の記録媒体を再生し、その画像を表示しうるディスプレイを備えた装置）などが挙げられる。それら電子機器の具体例を図８、図９、図１０に示す。
【０１０３】
図８（Ａ）、図８（Ｂ）はデジタルカメラであり、本体２１０１、表示部２１０２、撮像部２１０３、操作キー２１０４、シャッター２１０６等を含む。本発明により、コントラストの高い表示が可能なデジタルカメラが実現できる。
【０１０４】
図９（Ａ）は２２インチ〜５０インチの大画面を有する大型の表示装置であり、筐体２００１、支持台２００２、表示部２００３、スピーカ部２００４、撮像部２００５、ビデオ入力端子２００６等を含む。なお、表示装置は、パソコン用、ＴＶ放送受信用などの全ての情報表示用表示装置が含まれる。本発明により、コントラストの高い表示が可能な大型の表示装置を実現することができる。
【０１０５】
図９（Ｂ）はノート型パーソナルコンピュータであり、本体２２０１、筐体２２０２、表示部２２０３、キーボード２２０４、外部接続ポート２２０５、ポインティングマウス２２０６等を含む。本発明により、コントラストの高い表示が可能なノート型パーソナルコンピュータを実現することができる。
【０１０６】
図９（Ｃ）は記録媒体を備えた携帯型の画像再生装置（具体的にはＤＶＤ再生装置）であり、本体２４０１、筐体２４０２、表示部Ａ２４０３、表示部Ｂ２４０４、記録媒体（ＤＶＤ等）読み込み部２４０５、操作キー２４０６、スピーカー部２４０７等を含む。表示部Ａ２４０３は主として画像情報を表示し、表示部Ｂ２４０４は主として文字情報を表示する。なお、記録媒体を備えた画像再生装置には家庭用ゲーム機器なども含まれる。本発明により、コントラストの高い表示が可能な画像再生装置を実現することができる。
【０１０７】
また、図９（Ｄ）は携帯情報端末の斜視図であり、図９（Ｅ）は折りたたんで携帯電話として使用する状態を示す斜視図である。図９（Ｄ）において、使用者はキーボードのように右手指で操作キー２７０６ａを操作し、左手指で操作キー２７０６ｂを操作する。本発明により、コントラストの高い表示が可能な携帯情報端末を実現することができる。
【０１０８】
図９（Ｅ）に示すように、折りたたんだ場合には、片手で本体２７０１、および筐体２７０２を持ち、音声入力部２７０４、音声出力部２７０５、操作キー２７０６ｃ、アンテナ２７０８等を使用する。
【０１０９】
なお、図９（Ｄ）および図９（Ｅ）に示した携帯情報端末は、主に画像および文字を横表示する高画質な表示部２７０３ａと、縦表示する表示部２７０３ｂとを備えている。
【０１１０】
また、図１０は、記録媒体を備えた携帯型の音楽再生装置であり、本体２９０１、表示部２９０３、記録媒体（カード型メモリ等）読み込み部、操作キー２９０２、２９０６、接続コード２９０４に接続されたヘッドフォンのスピーカー部２４０５等を含む。本発明により、コントラストの高い表示が可能な携帯型の音楽再生装置を実現することができる。
【０１１１】
以上の様に、本発明は、最良の形態、または実施例１乃至５のいずれか一の作製方法または構成を用いて、様々な電子機器を完成させることができる。
【産業上の利用可能性】
【０１１２】
本発明により、フルカラー表示可能なパッシブ型の発光装置における構成が簡略化される。
【図面の簡単な説明】
【０１１３】
【図１】上面構造および断面構造を示す図である。
【図２】斜視図を示す図である。
【図３】発光モジュールの外観を示す上面図である。
【図４】発光モジュールの上面図を示す図である。（実施例１）
【図５】発光モジュールの断面図を示す図である。（実施例１）
【図６】実施例２、実施例３、実施例４を示す図である。
【図７】断面構造の他の一例を示す図である。（実施例５）
【図８】電子機器の一例を示す図。
【図９】電子機器の一例を示す図。
【図１０】電子機器の一例を示す図。
【符号の説明】
【０１１４】
１１０：第１の基板
１１３：第１の電極
１１４：開口部を有する隔壁
１１６：第２の電極
１２１：発光領域
１２２：逆テーパ状の隔壁
【図１】
2005317382.tif 000003
【図２】
2005317382.tif 000004
【図３】
2005317382.tif 000005
【図４】
2005317382.tif 000006
【図５】
2005317382.tif 000007
【図６】
2005317382.tif 000008
【図７】
2005317382.tif 000009
【図８】
2005317382.tif 000010
【図９】
2005317382.tif 000011
【図１０】
2005317382.tif 000012